(57)【特許請求の範囲】
【請求項１】
環状のバーナヘッドを有するバーナボディと、バーナヘッド上に載置するバーナキャップとを備え、バーナヘッド上にバーナキャップによって外周の炎孔群を形成すると共に、バーナヘッド上の周方向の一部に内燃室と内燃室にガスを噴出する内炎孔とを形成し、バーナヘッドに内燃室をバーナヘッドの下方空間に連通する連通口を開設して、バーナ用の安全弁を制御する火炎センサを連通口を通して内燃室に臨ませるこんろバーナであって、
バーナキャップにバーナヘッドの内径部に連通する中央空気通路を形成し、更に、バーナヘッドの内径部及び中央空気通路を通してバーナキャップの上方に突出する鍋底温度センサを備え、鍋底温度センサから下方にのびるロッド部にホルダを装着し、バーナヘッドの下方に配置した取付ブラケットにホルダを該ホルダの上端に形成した一側方に屈曲する舌片部において取付けるものにおいて、
バーナヘッドの内径部の下端から下方に突出する筒体を設け、かつホルダを舌片部が連通口の開設箇所側を向くような位相で筒体内に挿入して取付ブラケットに取付ける、
ことを特徴とするこんろバーナ。
【請求項２】
環状のバーナヘッドを有するバーナボディと、バーナヘッド上に載置するバーナキャップとを備え、バーナヘッド上にバーナキャップによって外周の炎孔群を形成すると共に、バーナヘッド上の周方向の一部に内燃室と内燃室にガスを噴出する内炎孔とを形成し、バーナヘッドに内燃室をバーナヘッドの下方空間に連通する連通口を開設して、バーナ用の安全弁を制御する火炎センサを連通口を通して内燃室に臨ませ、バーナキャップにバーナヘッドの内径部に連通する中央空気通路を形成するこんろバーナであって、
バーナヘッドの内径部の下端から下方に突出する筒体を設けるものにおいて、
バーナヘッドの内径部の下端に内曲げフランジを形成すると共に、筒体の上端に外曲げフランジを形成し、筒体をバーナヘッドの内径部に上方から挿入して、外曲げフランジを内曲げフランジに係合させる、
ことを特徴とするこんろバーナ。
【請求項３】
バーナヘッドの内径部の下端に内曲げフランジを形成すると共に、筒体の上端に外曲げフランジを形成し、筒体をバーナヘッドの内径部に上方から挿入して、外曲げフランジを内曲げフランジに係合させることを特徴とする請求項１に記載のこんろバーナ。
【請求項４】
筒体を周囲一側で分断して縮径可能とし、筒体の自由状態での外径を内曲げフランジの内径よりも大きくすることを特徴とする請求項２又は３に記載のこんろバーナ。
【発明の詳細な説明】
【０００１】
【発明の属する技術分野】
本発明は、環状のバーナヘッドを有するバーナボディと、バーナヘッド上に載置するバーナキャップとを備えるこんろバーナに関する。
【０００２】
【従来の技術】
従来、この種のこんろバーナとして、バーナヘッド上にバーナキャップによって外周の炎孔群を形成すると共に、バーナヘッド上の周方向の一部に内燃室と内燃室にガスを噴出する内炎孔とを形成し、バーナヘッドに内燃室をバーナヘッドの下方空間に連通する連通口を開設して、バーナ用の安全弁を制御する火炎センサを連通口を通して内燃室に臨ませ、連通口からの二次空気の供給で内炎孔からのガスを内燃室で燃焼させ、該内燃室内の火炎の有無を火炎センサで検出して、失火時に安全弁を閉じるようにしたものは知られている。
【０００３】
尚、バーナキャップには、バーナヘッドをその内径部に亘って覆うものと、バーナヘッドの内径部に連通する中央空気通路を有するものとがある。
【０００４】
ところで、システムキッチンに組込むこんろはこんろの器体内への空気の流入面積が一般のテーブルこんろに比し狭く、点火初期、内燃室における燃焼による空気の消費でこんろの器体内が一時的に負圧になることがある。この場合、バーナキャップが中央空気通路を有するものであると、燃焼により生じた排ガスが中央空気通路に吸い込まれ、バーナヘッドの内径部の下端から連通口を介して内燃室に排ガスが逆流して内燃室が酸欠状態になる。すると、炎のリフトを生じて火炎センサが火炎を検知しなくなり、安全弁が閉じられてバーナが消火されてしまう。
【０００５】
このような無用の消火を防止するため、特開平８−１９３７１９号公報により、火炎センサの取付ブラケットに、連通口への排ガスの逆流を阻止する邪魔板を設けたものも知られているが、公差の関係で邪魔板をバーナヘッドの内径部の下端外周に密着させることはできず、内径部の下端から邪魔板との間の隙間を通って連通口に排ガスが流入することがあった。
【０００６】
【発明が解決しようとする課題】
本発明は、以上の点に鑑み、点火初期の内燃室への排ガスの逆流防止の確実性を向上させることを課題としている。
【０００７】
【課題を解決するための手段】
上記課題を解決すべく、請求項１に記載の発明では、環状のバーナヘッドを有するバーナボディと、バーナヘッド上に載置するバーナキャップとを備え、バーナヘッド上にバーナキャップによって外周の炎孔群を形成すると共に、バーナヘッド上の周方向の一部に内燃室と内燃室にガスを噴出する内炎孔とを形成し、バーナヘッドに内燃室をバーナヘッドの下方空間に連通する連通口を開設して、バーナ用の安全弁を制御する火炎センサを連通口を通して内燃室に臨ませるこんろバーナであって、バーナキャップにバーナヘッドの内径部に連通する中央空気通路を形成し、更に、バーナヘッドの内径部及び中央空気通路を通してバーナキャップの上方に突出する鍋底温度センサを備え、鍋底温度センサから下方にのびるロッド部にホルダを装着し、バーナヘッドの下方に配置した取付ブラケットにホルダを該ホルダの上端に形成した一側方に屈曲する舌片部において取付けるものにおいて、バーナヘッドの内径部の下端から下方に突出する筒体を設け、かつホルダを舌片部が連通口の開設箇所側を向くような位相で筒体内に挿入して取付ブラケットに取付けている。
【０００８】
これによれば、点火初期にバーナキャップの中央空気通路に吸い込まれる排ガスのこんろ器体内への出口はバーナヘッドの内径部下端よりも下方に位置する筒体の下端となる。従って、出口と連通口との間の距離が長くなり、内燃室への連通口を介しての排ガスの逆流が抑制される。そのため、内燃室内での燃焼状態が安定して火炎センサが炎を確実に検出し、無用の消火が防止される。
【０００９】
更に、筒体内の連通口寄りの部分に排ガスが流れることを舌片部で抑制して、筒体の下端の連通口とは反対側の部分から排ガスが出るように排ガスを導くことができ、内燃室への排ガスの逆流を効果的に防止できる。
【００１０】
ところで、筒体はバーナヘッドの内径部下端に下方からねじ止めしても良いが、これでは組付けに手間がかかる。これに対し、請求項２、３に記載の発明のように、バーナヘッドの内径部の下端に内曲げフランジを形成すると共に、筒体の上端に外曲げフランジを形成し、筒体をバーナヘッドの内径部に上方から挿入して、外曲げフランジを内曲げフランジに係合させるようにすれば、筒体を簡単に組付けることができ、有利である。この場合、筒体を周囲一側で分断して縮径可能とし、筒体の自由状態での外径を内曲げフランジの内径よりも大きくしておけば、筒体が縮径状態で内曲げフランジに嵌合し、筒体が拡径力で内曲げフランジに密着して、バーナヘッドの内径部下端からの排ガスの漏洩を確実に阻止でき、内燃室への排ガスの逆流を防止する上で有利である。
【００１１】
【発明の実施の形態】
図１はシステムキッチンに組込むこんろのバーナを示している。このバーナは、混合管１０とその前端（図１の左端）の環状のバーナヘッド１１とを有するバーナボディ１と、バーナヘッド１１上に載置するバーナキャップ２とで構成されており、こんろの器体（図示せず）上に載置する天板Ｐに開設した開口Ｐａを通してバーナヘッド１１の上部を天板Ｐ上に突出させている。
【００１２】
バーナボディ１は、プレス成形された上下２枚の板材１ａ，１ｂを外縁部とバーナヘッド１１の内径部下端とでヘミング結合して成る板金製であり、バーナヘッド１１内に周方向に延在する分布室１２を形成すると共に、バーナヘッド１１の上面に、図２に示す如く、分布室１２に連通する複数の流出口１３を形成し、また、バーナヘッド１１の前側部分に上下の板材１ａ，１ｂを重ね合わせた偏平部１４を形成して、該偏平部１４に連通口１５を開設している。
【００１３】
バーナキャップ２の下面外周部には偏平部１４上に位置する前側部分を除いて多数の歯が突設されており、バーナヘッド１１上にこれら歯間の歯溝によって外周の炎孔２０群を形成し、流出口１３からのガスがこれら炎孔２０から外方に噴出されるようにしている。また、バーナキャップ２の下面の前側部分には、連通口１５よりも径方向内側に位置する壁部２１と連通口１５の周方向両側に位置する壁部２１’とを突設して、バーナヘッド１１の偏平部１４上にこれら壁部２１，２１’で囲われる内燃室２２を形成し、壁部２１の溝で形成される内炎孔２３から内燃室２２にガスが噴出されるようにしている。
【００１４】
内燃室２２は連通口１５を介してバーナヘッド１１の下方空間に連通しており、バーナ用の安全弁（図示せず）を制御する熱電対やフレームロッド等の火炎センサ３を連通口１５を通して内燃室２２に臨ませている。また、バーナキャップ２の下面に、内燃室２２内に位置する点火用ターゲット２４を突設し、該ターゲット２４に対向する点火プラグ４を設けて、点火プラグ４とターゲット２４との間の火花放電により内燃室２２内のガスに点火し、連通口１５から供給される空気を二次空気として内燃室２２での燃焼を行ない、外周の炎孔２０から噴出するガスに火移り点火させている。
【００１５】
バーナキャップ２には、更に、バーナヘッド１１の内径部に連通する中央空気通路２５が形成されている。そして、バーナヘッド１１の内径部と中央空気通路２５とを通してバーナキャップ２の上方に突出する鍋底温度センサ５を設け、こんろの五徳Ａ上に載置した鍋等の調理器Ｂの底面に鍋底温度センサ５を当接させて、調理器Ｂの温度を検出できるようにしている。また、バーナキャップ２の上面には、鍋底温度センサ５を囲う、中央空気通路２５の上半部を構成する遮熱リング２６が突設されている。
【００１６】
バーナヘッド１１の下方には取付ブラケット６が配置されており、バーナヘッド１１の内径部の下方に位置する取付ブラケット６の部分に鍋底温度センサ５用の取付部６０を切り起し、また、鍋底温度センサ５から下方にのびるロッド部５０にこれを抱持するようにして２部材構造のホルダ５１を装着し、ホルダ５１をその上端に形成した一側方に屈曲する舌片部５１ａにおいて取付部６０に上方からねじ止めし、鍋底温度センサ５を取付ブラケット６に取付けている。
【００１７】
また、取付ブラケット６の取付部６０の前側に窓穴６１を形成して、窓穴６１より前側の取付ブラケット６の部分にサブブラケット６２を固定し、火炎センサ３と点火プラグ４とを窓穴６１内においてサブブラケット６２に取付けている。そして、サブブラケット６２に、火炎センサ３と点火プラグ４との挿通穴を有する邪魔板６３をこれに形成した脚片部６３ａにおいて固定している。邪魔板６３は、火炎センサ及び点火プラグ４の配置部の背面に位置する縦板部６３ｂと、その上端の後方に屈曲する廂部６３ｃとを備えており、バーナヘッド１１の内径部の下方空間と連通口１５との間の仕切りとして機能する。
【００１８】
ところで、システムキッチン用のこんろは、こんろの器体内への下方からの空気の流入面積が一般のテーブルこんろに比し狭くなっているため、器体内への空気の流入を促進するドラフト効果が得られない、バーナの点火初期には、内燃室２２での燃焼による空気の消費でこんろの器体内が一時的に微小ではあるが負圧になることがある。すると、燃焼により生じた排ガスが中央空気通路２５に吸い込まれ、バーナヘッド１１の内径部の下端から連通口１５に向って排ガスが逆流しようとする。この場合、邪魔板６３の廂部６３ｃがバーナヘッド１１の内径部の下端外周に密着していれば、連通口１５に向う排ガスの流れを遮断できる。然し、バーナヘッド１１の内径部の下端外周と廂部６３ｃとの間には公差によって隙間が不可避的に発生し、この隙間から連通口１５に排ガスが流れ、内燃室２２が排ガスの逆流により酸欠状態になって内燃室２２の炎がリフトし、その結果、火炎センサ３が炎を検知しなくなり、失火していないのに安全弁が閉じられ、バーナが消火されてしまう。
【００１９】
そこで、本実施形態では、バーナヘッド１１の内径部の下端から下方に突出する筒体７を設けている。これによれば、中央空気通路２５に吸い込まれた排ガスは筒体７の下端からこんろの器体内に流れ出るようになり、上記隙間が発生しても排ガスが隙間に短絡的に流れることが防止される。そして、筒体７の下端よりも上方の器体内空間の空気が連通口１５を介して内燃室２２に流入し、内燃室２２での燃焼状態が良好に保たれて、火炎センサ３は確実に炎を検知し、安全弁の閉弁によるバーナの無用の消火が防止される。尚、点火後、外周の炎孔２０の炎が安定して、ドラフトが効くようになると、器体内から中央空気通路２５を介して外方に空気が流れ、排ガスは中央空気通路２５に吸い込まれなくなる。
【００２０】
また、筒体７は取付ブラケット６の鍋底温度センサ５用の取付部６０に達する長さに形成されており、鍋底温度センサ５のホルダ５１を、その舌片部５１ａが連通口１５の開設箇所側、即ち、前側を向くような位相で筒体７に挿入して取付部６０に取付けている。これによれば、筒体７内の前側部分に沿った排ガスの流れが舌片部５１ａによって規制され、排ガスの流れが筒体７内の後側に導かれ、筒体７の下端から流れ出た排ガスが連通口１５に逆流することをより確実に阻止できる。
【００２１】
また、筒体７の上端には外曲げフランジ７０が形成されている。そして、筒体７をバーナヘッド１１の内径部に上方から挿入し、バーナヘッド１１の内径部下端のヘミング部によって形成される内曲げフランジ１６に外曲げフランジ７０を係合させて、筒体７を抜け止めしている。これによれば、筒体７をバーナヘッド１１に上方から挿入するだけで組付けることができ、筒体７の組付けが簡単になる。
【００２２】
また、筒体７には、周囲一側の全長に亘る第１スリット７１と、上部を切残した他側の第２スリット７２とが形成されており、各スリット７１，７２が取付ブラケット６の前記取付部６０の両脇の立上り部６４，６４に係合して、筒体７が回り止めされるようにしている。筒体７の後側の部分７３は取付ブラケット６の後部に干渉しないよう長さを短くしているが、筒体７の前側部分７４は、その下端を連通口１５から可及的に離間させるため、長さを長くし、窓穴６１を通して取付ブラケット６の下方に突出させている。
【００２３】
また、筒体７は第１スリット７１により分断されて縮径可能となっており、筒体７の自由状態での外径を内曲げフランジ１６の内径より大きくし、筒体７が縮径状態で内曲げフランジ１６に嵌合するようにしている。これによれば、筒体７の拡径力により筒体７が内曲げフランジ１６に確実に密着し、バーナヘッド１１の内径部下端からの排ガスの漏洩が防止される。
【００２４】
以上、鍋底温度センサ５付きのバーナについて説明したが、鍋底温度センサの無いバーナにも同様に本発明を適用できる。また、上記実施形態では、内燃室２２に火炎センサ３と点火プラグ４とを臨ませて、内燃室２２でバーナに点火するようにしたが、内燃室２２以外の部分で点火プラグや点火バーナによって点火するようにしたバーナにも同様に本発明を適用できる。
【００２５】
【発明の効果】
以上の説明から明らかなように、本発明によれば、点火初期の内燃室への排ガスの逆流を効果的に抑制でき、バーナが失火していないのに安全弁が閉じられるといった不具合を解消できる。
【図面の簡単な説明】
【図１】本発明バーナの一側の断面図
【図２】バーナの分解状態の斜視図
【符号の説明】
１    バーナボディ                １１    バーナヘッド
１５    連通口                      １６    内曲げフランジ
２    バーナキャップ              ２０    外周炎孔
２２    内燃室                      ２３    内炎孔
２５    中央空気通路                  ３    火炎センサ
５    鍋底温度センサ              ５０    ロッド部
５１    ホルダ                      ５１ａ  舌片部
６    取付ブラケット                ７    筒体
７０    外曲げフランジ
【図１】
0003580987.tif 000002
【図２】
0003580987.tif 000003